(57)【要約】【課題】フォーカス操作環の回転可能角度の制限をなくし、フォーカス操作環の単位回転角度あたりのフォーカスレンズ系の移動量が大きくなく、しかも、ピント合わせが容易なレンズ鏡筒を提供する。【解決手段】レンズ鏡筒１１０は、固定筒１１２と、フォーカス操作環１１４と、フォーカスレンズ枠１１６とを備える。第１カム溝１３０がフォーカス操作環１１４の内面に形成される。第１直進コマ１３２がフォーカスレンズ枠１１６に固定される。第１縦溝１３４が固定筒１１２に形成される。ロック板固定ピン１１４ｄにより、ロック板１７０をフォーカス操作環１１４に固定する。ロックねじ１６２をねじ込むと、ねじ底面１６２ｂがロック板１７０を移動させ、ロック板１７０は固定筒１１２の外径部に接触する。【選択図】　　　図１
2004085709.tif 000002
【特許請求の範囲】
【請求項１】
フォーカスロック機構を備えたレンズ鏡筒において、
カメラボディに固定できるように構成された固定筒と、
該固定筒の外径部に対して配置されかつ前記固定筒に対して回転可能に設けられたフォーカス操作環と、
前記固定筒の内径部に対して配置されかつ前記固定筒の軸線方向に移動可能に設けられたフォーカスレンズ枠と、
該フォーカスレンズ枠の内径部に固定されており、被写体の像を合焦させるためのフォーカスレンズ系と、
前記フォーカス操作環に形成されたねじ穴と、
該ねじ穴にねじ込まれるロックねじと、
フォーカス操作環の内周に配置されたロック板とを備え、
カム溝が前記フォーカス操作環の内面に形成されており、
縦溝が前記固定筒に形成されており、
直進コマが前記フォーカスレンズ枠に固定されており、
該直進コマは、中間の軸部が前記縦溝を貫通して、先端部が前記カム溝に案内されるように構成されており、
前記フォーカス操作環を回転させると、前記直進コマは前記カム溝に案内されて移動し、前記フォーカスレンズ系は光軸方向に移動するように構成されており、
前記ロックねじを、前記ねじ穴にねじ込むと、前記ロックねじのねじ底面が前記ロック板を光軸に向かって移動させ、前記ロック板は前記固定筒の外径部に接触するように構成される、
ることを特徴とするレンズ鏡筒。
【請求項２】
前記ロック板を逃げるための肉抜き部が、前記フォーカス操作環の内周の一部分に形成され、ロック板固定ピンが前記肉抜き部に形成され、前記ロック板固定ピンの頭部を熱かしめして、前記ロック板を前記フォーカス操作環に固定するように構成されることを特徴とする、請求項１に記載のレンズ鏡筒。
【請求項３】
前記ロックねじの中心軸線が前記縦溝の一方の側面の外側端部に位置したときのロック状態において、前記ロックねじの中心軸線から前記ロック板の端部までの寸法は、前記縦溝の幅より大きくなるように構成されることを特徴とする、請求項１又は２に記載のレンズ鏡筒。
【請求項４】
前記ロックねじの呼び径をＤ１としたとき、前記ロックねじの中心軸線から前記ロック板の端部までの寸法から（Ｄ１／２）を引いた寸法が、前記縦溝の幅より大きくなるように構成されることを特徴とする、請求項１から請求項３のいずれか１項に記載のレンズ鏡筒。
【請求項５】
前記ロック板は案内穴を有し、前記ロック板を案内するためのロック板案内ピンが前記肉抜き部に形成され、前記ロック板の前記案内穴が前記ロック板案内ピンに嵌め込まれることを特徴とする、請求項２から請求項４のいずれか１項に記載のレンズ鏡筒。
【請求項６】
撮像素子を含むカメラボディと、
請求項１から請求項５のいずれか１項に記載のレンズ鏡筒とを備え、
前記レンズ鏡筒は前記カメラボディに固定される、
ことを特徴とする監視カメラ。
【発明の詳細な説明】
【０００１】
【発明の属する技術分野】
本発明は、フォーカスロック機構を備えたレンズ鏡筒と、このレンズ鏡筒を備えた監視カメラとに関する。特に、本発明は、フォーカス操作環の作動可能角度の制限をなくすことができるように構成したフォーカスロック機構を備えたレンズ鏡筒と、このレンズ鏡筒を備えた監視カメラとに関する。
【０００２】
【従来の技術】
従来の監視カメラにおいて、単焦点レンズ、バリフォーカルレンズ、ズームレンズなどのマニュアルフォーカスレンズを含むレンズ鏡筒は、フォーカスロック機構を備えている。図１１および図１２を参照すると、監視カメラのフォーカスロック機構において、レンズ鏡筒９１０は、監視カメラのカメラボディ（図示せず）に固定された固定筒９１２と、固定筒９１２の外径部に対して配置されかつ固定筒９１２に対して回転可能に設けられたフォーカス操作環９１４と、固定筒９１２の内径部に対して配置されかつ固定筒９１２の軸線方向に移動可能に設けられたフォーカスレンズ枠９１６とを備える。被写体の像を合焦させるためのフォーカスレンズ系９２０がフォーカスレンズ枠９１６の内径部に固定される。フォーカスレンズ系９２０は光軸９２２を定める。
【０００３】
第１カム溝９３０、第２カム溝９４０、第３カム溝９５０がフォーカス操作環９１４の内面に形成される。第１直進コマ９３２、第２直進コマ９４２、第３直進コマ９５２がフォーカスレンズ枠９１６に固定される。第１直進コマ９３２、第２直進コマ９４２、第３直進コマ９５２は、光軸９２２を中心として、円周方向に１２０度の間隔で配置される。第１縦溝９３４、第２縦溝９４４、第３縦溝９５４が固定筒９１２に形成される。第１直進コマ９３２は、中間の軸部が第１縦溝９３４を貫通して、先端部が第１カム溝９３０に案内されるように構成される。第２直進コマ９４２は、中間の軸部が第２縦溝９４４を貫通して、先端部が第２カム溝９４０に案内されるように構成される。第３直進コマ９５２は、中間の軸部が第３縦溝９５４を貫通して、先端部が第３カム溝９５０に案内されるように構成される。
【０００４】
ねじ穴９６０がフォーカス操作環９１４に形成される。ロックねじ９６２が、頭部９６２ｈと、ねじ部９６２ｊとを有する。頭部９６２ｈには、ローレットが形成される。頭部９６２ｈは、作動つまみとしても機能することができる。ロックねじ９６２のねじ部９６２ｊが、ねじ穴９６０にねじ込まれる。
【０００５】
ピントを合わせるとき、フォーカス操作環９１４を回転させると、第１直進コマ９３２は第１カム溝９３０に案内されて移動し、第２直進コマ９４２は第２カム溝９４０に案内されて移動し、第３直進コマ９５２は第３カム溝９５０に案内されて移動し、フォーカスレンズ系９２０は光軸９２２に沿って移動するように構成される。
【０００６】
ピントを合わせた後、ロックねじ９６２のねじ部９６２ｊを、ねじ穴９６０にねじ込む。ロックねじ９６２をねじ込むことにより、ねじ底面９６２ｂが、固定筒９１２の外径部に接触して、フォーカス操作環９１４の固定筒９１２に対する回転を阻止することができる。
例えば、特開平５−９３８３９号公報、特開平６−１４８９５号公報、特開平９−３２４８０４号公報などに、従来のレンズ鏡筒の構造が開示されている。また、特許第２８７３６９４号公報などに、従来の固体撮像素子カメラの構造が開示されている。また、特開２００２−１８９２３８号公報などに、従来のＣＣＴＶカメラとＣＣＴＶカメラ用レンズの構造が開示されている。
【０００７】
【発明が解決しようとする課題】
しかし、従来のレンズ鏡筒では、フォーカス操作環９１４のねじ穴９６０にロックねじ９６２をねじ込んでロックするとき、ロックねじ９６２が第１縦溝９３４、第２縦溝９４４、第３縦溝９５４に入るのを回避する必要があった。このため、光軸９２２に沿う方向において、第１縦溝９３４、第２縦溝９４４、第３縦溝９５４と干渉しない位置にねじ穴９６０を設けるか、或いは、１２０度の間隔で配置された第１縦溝９３４、第２縦溝９４４、第３縦溝９５４のいずれともロックねじ９６２が干渉しないように、フォーカス操作環９１４の回転可能角度を８０度〜９０度に制限しなければならなかった（図１２参照）。
【０００８】
フォーカス操作環９１４のねじ穴９６０を光軸９２２の方向で、第１縦溝９３４、第２縦溝９４４、第３縦溝９５４と干渉しない位置に設けた場合、ロックねじ９６２が、ズーム操作環、絞り部、マウント等の他の部品と干渉するおそれが高くなり、レンズ鏡筒を小型化する妨げになるおそれがあった。
【０００９】
しかしながら、フォーカスレンズ系９２０の光軸９２２方向の移動量が大きいレンズでは、フォーカス操作環９１４の回転可能角度を８０度〜９０度に制限した場合、フォーカス操作環９１４の回転において、単位回転角度あたりのフォーカスレンズ系９２０の光軸９２２方向の移動量が大きくなり、ユーザが希望するフォーカスの位置にフォーカスレンズ系９２０を移動するのがむずかしくなるおそれがあった。すなわち、この場合、ピント合わせが困難になってしまうおそれがあった。
【００１０】
さらに、ピントを合わせた後、フォーカス操作環９１４をロックするために、ねじ穴９６０にロックねじ９６２をねじ込んでゆくと、ロックねじ９６２のねじ底面９６２ｂが、固定筒９１２の外径部に接触したとき、フォーカス操作環９１４を回転させるような力が発生する。このため、ロックねじ９６２をねじ込んでゆくと、フォーカスレンズ枠９１６が移動し、フォーカスレンズ系９２０が移動することにより、ピントずれを生じるおそれがあった。
【００１１】
【発明の目的】
本発明の目的は、フォーカス操作環の回転可能角度の制限をなくし、フォーカス操作環の回転において、単位回転角度あたりのフォーカスレンズ系の移動量が大きくならず、ピント合わせが容易なレンズ鏡筒を提供することにある。
本発明の他の目的は、ピント合わせが容易で、ピントを合わせた後、ロックねじをねじ込んでもピントずれを生じるおそれがないレンズ鏡筒を備えた監視カメラを提供することにある。
【００１２】
【課題を解決するための手段】
本発明は、フォーカスロック機構を備えたレンズ鏡筒において、カメラボディに固定できるように構成された固定筒と、固定筒の外径部に対して配置されかつ固定筒に対して回転可能に設けられたフォーカス操作環と、固定筒の内径部に対して配置されかつ固定筒の軸線方向に移動可能に設けられたフォーカスレンズ枠と、フォーカスレンズ枠の内径部に固定されており、被写体の像を合焦させるためのフォーカスレンズ系と、フォーカス操作環に形成されたねじ穴と、ねじ穴にねじ込まれるロックねじと、フォーカス操作環の内周に配置されたロック板とを備えるように構成した。このレンズ鏡筒においては、カム溝がフォーカス操作環の内面に形成されており、縦溝が前記固定筒に形成されており、直進コマがフォーカスレンズ枠に固定されている。この直進コマは、中間の軸部が前記縦溝を貫通して、先端部が前記カム溝に案内されるように構成されている。このレンズ鏡筒においては、フォーカス操作環を回転させると、直進コマはカム溝に案内されて移動し、フォーカスレンズ系は光軸方向に移動するように構成されており、ロックねじを、ねじ穴にねじ込むと、ロックねじのねじ底面がロック板を光軸に向かって移動させ、ロック板は固定筒の外径部に接触するように構成されている。
【００１３】
本発明のレンズ鏡筒においては、ロック板を逃げるための肉抜き部が、フォーカス操作環の内周の一部分に形成され、ロック板固定ピンが肉抜き部に形成され、ロック板固定ピンの頭部を熱かしめして、ロック板をフォーカス操作環に固定するのが好ましい。
この構成により、フォーカス操作環の回転可能角度の制限をなくすことができる。また、この構成により、フォーカス操作環の回転において、単位回転角度あたりのフォーカスレンズ系の移動量が大きくならず、ピント合わせが容易なレンズ鏡筒を実現することができる。
【００１４】
また、本発明のレンズ鏡筒においては、ロックねじの中心軸線が縦溝の一方の側面の外側端部に位置したときのロック状態において、ロックねじの中心軸線からロック板の端部までの寸法は、縦溝の幅より大きくなるように構成されるのが好ましい。
【００１５】
また、本発明のレンズ鏡筒においては、ロックねじの呼び径をＤ１としたとき、ロックねじの中心軸線からロック板の端部までの寸法から（Ｄ１／２）を引いた寸法が、縦溝の幅より大きくなるように構成されるのが好ましい。この構成により、ロックねじを操作したとき、ロック板の端部が縦溝に引っかかるおそれを確実に回避することができる。
【００１６】
さらに、本発明のレンズ鏡筒においては、ロック板は案内穴を有し、ロック板を案内するためのロック板案内ピンが肉抜き部に形成され、ロック板の案内穴がロック板案内ピンに嵌め込まれるのが好ましい。この構成により、ロックねじを締めたとき、ロック板の端部が固定筒の外径部に接触することなしに、ロック板を確実に固定筒に接触させることができる。
【００１７】
さらに、本発明は、監視カメラにおいて、撮像素子を含むカメラボディと、上記のようなレンズ鏡筒とを備え、レンズ鏡筒は前記カメラボディに固定されるように構成した。
【００１８】
【発明の効果】
本発明は、上記の構成により、フォーカス操作環の回転可能角度の制限をなくすことができ、フォーカス操作環の単位回転角度あたりのフォーカスレンズ系の移動量が大きくならず、ピント合わせが容易なレンズ鏡筒を実現することができる。
また、本発明のレンズ鏡筒は、ロックねじを操作したとき、ロック板の端部が縦溝に引っかかるおそれを確実に回避することができる。
さらに、本発明のレンズ鏡筒においては、ロックねじを締めたとき、ロック板の端部が固定筒の外径部に接触することなしに、ロック板を確実に固定筒に接触させることができる。
さらに、本発明により、ピント合わせが容易で、ピントを合わせた後、ロックねじをねじ込んでもピントずれを生じるおそれがないレンズ鏡筒を備えた監視カメラを実現することができる。
【００１９】
【発明の実施の形態】
以下に、本発明の実施の形態を図面に基づいて説明する。
（１）第１の実施の形態
最初に、本発明の監視カメラの第１の実施の形態を説明する。以下の説明は、フォーカスロック機構について行うが、本発明はズーム機構のロック機構に応用することもできる。
【００２０】
図１〜図３を参照すると、本発明の監視カメラの第１の実施の形態において、監視カメラ１００は、カメラボディ１０２と、フォーカスロック機構を有するレンズ鏡筒１１０とを備える。レンズ鏡筒１１０は、カメラボディ１０２に固定された固定筒１１２と、固定筒１１２の外径部に対して配置されかつ固定筒１１２に対して回転可能に設けられたフォーカス操作環１１４と、固定筒１１２の内径部に対して配置されかつ固定筒１１２の軸線方向に移動可能に設けられたフォーカスレンズ枠１１６とを備える。被写体の像を合焦させるためのフォーカスレンズ系１２０がフォーカスレンズ枠１１６の内径部に固定される。フォーカスレンズ系１２０は光軸１２２を定める。フォーカス操作環１１４は、ポリカーボネートなどのプラスチックで形成される。レンズ鏡筒１１０には、絞り（図示せず）を設けるのがよい。
カメラボディ１０２には、フォーカスレンズ系１２０により結像される被写体の像を電気信号に変換するための固体撮像素子（例えば、ＣＣＤ）１０４と、固体撮像素子１０４から出力される被写体の像に関する電気信号を処理するための電気信号処理部１０５と、電気信号処理部１０５により処理された被写体の像に関する電気信号を記録するための像記録部１０６と、電源（図示せず）と、監視カメラを操作するためのスイッチ（図示せず）と、監視カメラの動作を制御するための動作制御回路（図示せず）などが設けられる。
【００２１】
第１カム溝１３０、第２カム溝１４０、第３カム溝１５０がフォーカス操作環１１４の内面に形成される。第１直進コマ１３２、第２直進コマ１４２、第３直進コマ１５２がフォーカスレンズ枠１１６に固定される。第１直進コマ１３２、第２直進コマ１４２、第３直進コマ１５２は、光軸１２２を中心として、円周方向に１２０度の間隔で配置される。第１縦溝１３４、第２縦溝１４４、第３縦溝１５４が固定筒１１２に形成される。第１直進コマ１３２は、中間の軸部が第１縦溝１３４を貫通して、先端部が第１カム溝１３０に案内されるように構成される。第２直進コマ１４２は、中間の軸部が第２縦溝１４４を貫通して、先端部が第２カム溝１４０に案内されるように構成される。第３直進コマ１５２は、中間の軸部が第３縦溝１５４を貫通して、先端部が第３カム溝１５０に案内されるように構成される。
【００２２】
ねじ穴１６０がフォーカス操作環１１４に形成される。ロックねじ１６２が、ねじ底面１６２ｂと、頭部１６２ｈと、ねじ部１６２ｊとを有する。頭部１６２ｈには、ローレットが形成される。頭部１６２ｈは、作動つまみとしても機能することができる。ロックねじ１６２のねじ部１６２ｊが、ねじ穴１６０にねじ込まれる。
【００２３】
ロック板逃げを構成する肉抜き部１１４ｃが、フォーカス操作環１１４の内周の一部分に形成される。ロック板固定ピン１１４ｄが肉抜き部１１４ｃに形成される。ロック板固定ピン１１４ｄは、肉抜き部１１４ｃの底面、すなわち、肉抜き内径部１１４ｆから光軸１２２に向かって延びる。ロック板１７０が肉抜き部１１４ｃに配置される。ロック板１７０の固定穴１７０ｈがロック板固定ピン１１４ｄに嵌め込まれる。ロック板１７０の固定穴１７０ｈをロック板固定ピン１１４ｄに嵌め込んだ後、ロック板固定ピン１１４ｄの頭部を熱かしめして、ロック板１７０をフォーカス操作環１１４に固定するのがよい。ロックねじ１６２のねじ底面１６２ｂは、ロック板１７０と接触するように構成される。ロック板１７０をフォーカス操作環１１４に固定したとき、ロック板１７０は肉抜き内径部１１４ｆに押しつけられるように構成される。例えば、ロック板１７０は、板厚０．２ｍｍのりん青銅などの、弾性材料で形成するのがよい。すなわち、ロック板１７０は板ばねとして作用可能なように構成される。
【００２４】
或いは、ロック板固定ピン１１４ｄを設ける代わりに、ロック板固定ねじを用いてロック板１７０をフォーカス操作環１１４に固定してもよいし、ロック板１７０の一端部をフォーカス操作環１１４に接着固定してもよいし、ロック板１７０の一端部をフォーカス操作環１１４に圧入することもできる。
【００２５】
フォーカス操作環１１４を回転させて、ロックねじ１６２のねじ底面１６２ｂが第１縦溝１３４、第２縦溝１４４、第３縦溝１５４のいずれかに位置したとき、ロック板１７０は、第１縦溝１３４、第２縦溝１４４、第３縦溝１５４を覆うことができるような寸法・形状に構成される。
【００２６】
ピントを合わせるとき、フォーカス操作環１１４を回転させると、第１直進コマ１３２は第１カム溝１３０に案内されて移動し、第２直進コマ１４２は第２カム溝１４０に案内されて移動し、第３直進コマ１５２は第３カム溝１５０に案内されて移動し、フォーカスレンズ系１２０は光軸１２２方向に移動するように構成される。
【００２７】
ピントを合わせた後、ロックねじ１６２のねじ部１６２ｊを、ねじ穴１６０にねじ込むと、ねじ底面１６２ｂがロック板１７０を光軸１２２方向に移動させるように構成される。ロック板１７０が光軸１２２方向に移動すると、ロック板１７０は固定筒１１２の外径部に接触するように構成される。それによって、フォーカス操作環１１４の固定筒１１２に対する回転を阻止することができる。
【００２８】
図４を参照すると、本発明の監視カメラの第１の実施形態において、ロックねじ１６２の中心軸線１６２ｃが第１縦溝１３４の中心に位置したときの未ロック状態において、ロックねじ１６２のねじ部１６２ｊを、ねじ穴１６０にねじ込む。ロックねじ１６２のねじ底面１６２ｂはロック板１７０の外側面（光軸１２２から遠い方の表面）１７０ａに接触する。この状態では、ロック板１７０の端部１７０ｄは肉抜き内径部１１４ｆに接触している。
【００２９】
また、ロック板１７０において、ロックねじ１６２の中心軸線１６２ｃと接触する部分からロック板１７０の端部１７０ｄまでは、平面に形成してもよいし、或いは、固定筒１１２の外径部１１２ａの曲率半径より大きい曲率半径になるように形成するのがよい。この構成により、ロック状態においてロックねじ１６２をゆるめたとき、わずかなロックねじ１６２のゆるめ量においても、ロック板１７０の端部１７０ｄが第１縦溝１３４の右側面１３４ａに接触するおそれはない。したがって、この構成により、ロックねじ１６２をゆるめたとき、ロック板１７０の端部１７０ｄが第１縦溝１３４に引っかかるおそれを回避することができる。
【００３０】
図５を参照すると、ロックねじ１６２のねじ部１６２ｊを、さらに、ねじ穴１６０にねじ込んでゆくと、ロック板１７０の内側面（光軸１２２に近い方の表面）１７０ｂは固定筒１１２の固定筒外径部１１２ａに接触する。この状態では、ロック板１７０の内側面１７０ｂは、第１縦溝１３４の右側面１３４ａの外側端部１３４ｄに接触する。この状態では、ロック板１７０の端部１７０ｄは第１縦溝１３４の右側面１３４ａに接触しない。したがって、ロックねじ１６２の中心軸線１６２ｃが第１縦溝１３４の中心に位置したときでも、ロック板１７０は固定筒１１２の固定筒外径部１１２ａに確実に接触することができる。
【００３１】
図６を参照すると、ロックねじ１６２の中心軸線１６２ｃが第１縦溝１３４の左側面１３４ｂの外側端部１３４ｆに位置したときのロック状態において、ロックねじ１６２の中心軸線１６２ｃからロック板１７０の端部１７０ｄまでの寸法Ｓ１は、第１縦溝１３４の幅（すなわち、第１縦溝１３４の右側面１３４ａと左側面１３４ｂとの間の寸法）Ｓ２より大きくなるように構成される。この構成により、ロックねじ１６２の中心軸線１６２ｃが第１縦溝１３４の左側面１３４ｂの外側端部１３４ｆに位置したときでも、ロック板１７０の端部１７０ｄが第１縦溝１３４の右側面１３４ａに接触するおそれはない。したがって、この構成により、ロックねじ１６２を操作したとき、ロック板１７０の端部１７０ｄが第１縦溝１３４に引っかかるおそれを回避することができる。
【００３２】
図７を参照すると、ロックねじ１６２の呼び径をＤ１とする。フォーカス操作環１１４を確実にロックするためには、ロックねじ１６２の中心軸線１６２ｃからロック板１７０の端部１７０ｄまでの寸法Ｓ１から（Ｄ１／２）を引いた寸法が、第１縦溝１３４の幅Ｓ２より大きくなるように構成するのが好ましい。この構成により、ロックねじ１６２を操作したとき、ロック板１７０の端部１７０ｄが第１縦溝１３４に引っかかるおそれを確実に回避することができる。
上記の説明は第１縦溝１３４について行ったけれども、同様のことが、第２縦溝１４４および第３縦溝１５４についてもあてはまる。したがって、第２縦溝１４４および第３縦溝１５４についての説明は省略する。
【００３３】
図８を参照すると、ロックねじ１６２、第１縦溝１３４、第２縦溝１４４、第３縦溝１５４、第１カム溝１３０、第２カム溝１４０、第３カム溝１５０、ロック板１７０が、光軸１２２の方向を矢印１２２Ａで示して、フォーカス操作環１１４および固定筒１１２を平面に展開した展開平面図として示されている。
フォーカス操作環１１４を回転させ、第１直進コマ１３２が第１カム溝１３０に案内されて移動して、ロックねじ１６２（図８に点線で示す）の中心軸線１６２ｃが第１縦溝１３４（図８に二点鎖線で示す）の中心に位置したとき、ロック板１７０は、第１縦溝１３４を覆い、フォーカス操作環１１４を確実にロックすることができる。
【００３４】
（２）第２の実施の形態
次に、本発明の監視カメラの第２の実施の形態を説明する。
以下の説明は、本発明の監視カメラの第２の実施形態が本発明の監視カメラの第１の実施形態と異なる点を主に述べる。したがって、以下に記載がない個所は、前述した本発明の監視カメラの第１の実施形態についての説明をここに準用する。
図９および図１０を参照すると、本発明の監視カメラの第２の実施形態において、レンズ鏡筒２１０は、カメラボディに固定された固定筒２１２と、固定筒２１２の外径部に対して配置されかつ固定筒２１２に対して回転可能に設けられたフォーカス操作環２１４と、固定筒２１２の内径部に対して配置されかつ固定筒２１２の軸線方向に移動可能に設けられたフォーカスレンズ枠２１６とを備える。
【００３５】
第１カム溝２３０、第２カム溝（図示せず）、第３カム溝（図示せず）がフォーカス操作環２１４の内面に形成される。第１直進コマ（図示せず）、第２直進コマ（図示せず）、第３直進コマ（図示せず）がフォーカスレンズ枠２１６に固定される。第１縦溝２３４、第２縦溝（図示せず）、第３縦溝（図示せず）が固定筒２１２に形成される。
ねじ穴２６０がフォーカス操作環２１４に形成される。ロックねじ２６２が、ねじ底面２６２ｂと、頭部２６２ｈと、ねじ部２６２ｊとを有する。ロックねじ２６２のねじ部２６２ｊが、ねじ穴２６０にねじ込まれる。
【００３６】
ロック板逃げを構成する肉抜き部２１４ｃが、フォーカス操作環２１４の内周の一部分に形成される。ロック板固定ピン２１４ｄが肉抜き部２１４ｃに形成される。ロック板固定ピン２１４ｄは、肉抜き部２１４ｃの底面、すなわち、肉抜き内径部２１４ｆから光軸（図示せず）に向かって延びる。ロック板案内ピン２１４ｋが肉抜き部２１４ｃに形成される。ロック板案内ピン２１４ｋは、肉抜き内径部２１４ｆから光軸に向かって延びる。ねじ穴２６０は、ロック板固定ピン２１４ｄとロック板案内ピン２１４ｋの間に位置する。好ましくは、ねじ穴２６０は、ロック板固定ピン２１４ｄとロック板案内ピン２１４ｋの中間の位置に位置決めされる。
【００３７】
ロック板２７０が肉抜き部２１４ｃに配置される。ロック板２７０は固定穴２７０ｈと、案内穴２７０ｋとを有する。固定穴２７０ｈは円形に形成される。案内穴２７０ｋは長円形に形成される。案内穴２７０ｋの長円形の長手方向軸線は、ロック板固定ピン２１４ｄとロック板案内ピン２１４ｋを結ぶ直線と一致するように構成するのがよい。ロック板２７０の固定穴２７０ｈはロック板固定ピン２１４ｄに嵌め込まれる。ロック板２７０の案内穴２７０ｋがロック板案内ピン２１４ｋに嵌め込まれる。ロック板２７０の固定穴２７０ｈをロック板固定ピン２１４ｄに嵌め込んだ後、ロック板固定ピン２１４ｄの頭部を熱かしめして、ロック板２７０をフォーカス操作環２１４に固定するのがよい。必要ならば、ロック板２７０の案内穴２７０ｋをロック板案内ピン２１４ｋに嵌め込んだ後、ロック板案内ピン２１４ｋの頭部を熱かしめにより大きくする。この場合、ロック板案内ピン２１４ｋの熱かしめ部は、ロック板２７０を固定しないように形成する。
【００３８】
ねじ穴２６０の外周部と、ロック板固定ピン２１４ｄの熱かしめ部の外周部との間の寸法は、第１縦溝２３４の幅Ｓ４より大きくなるように構成されるのが好ましい。ねじ穴２６０の外周部と、ロック板案内ピン２１４ｋの熱かしめ部の外周部との間の寸法は、第１縦溝２３４の幅Ｓ４より大きくなるように構成されるのが好ましい。この構成により、ロックねじ２６２を締めたときロック板２７０の端部２７０ｄが肉抜き内径部２１４ｆから離れない。したがって、ロック板２７０の端部２７０ｄが固定筒２１２の固定筒外径部に接触することなしに、ロック板２７０を確実に固定筒２１２に接触させることができる。
【図面の簡単な説明】
【図１】本発明の監視カメラの実施形態において、フォーカスロック機構を、光軸を含む平面で断面して示す部分縦断面図である。
【図２】本発明の監視カメラの第１の実施形態において、フォーカスロック機構を、光軸に垂直な平面で断面して示す横断面図である。
【図３】本発明の監視カメラの第１の実施形態の概略構造を示す側面図である。
【図４】本発明の監視カメラの第１の実施形態において、光軸に垂直な平面で断面して、ロックねじが第１縦溝の中心に位置したときの未ロック状態におけるフォーカスロック機構を示す部分横断面図である。
【図５】本発明の監視カメラの第１の実施形態において、光軸に垂直な平面で断面して、ロックねじの中心軸線が第１縦溝の中心に位置したときのロック状態におけるフォーカスロック機構を示す部分横断面図である。
【図６】本発明の監視カメラの第１の実施形態において、光軸に垂直な平面で断面して、ロックねじの中心軸線が第１縦溝の左側面の端部に位置したときのロック状態におけるフォーカスロック機構を示す部分横断面図である。
【図７】本発明の監視カメラの第１の実施形態において、光軸に垂直な平面で断面して、ロックねじの外周部の延長線が第１縦溝の左側面の端部に位置したときのロック状態におけるフォーカスロック機構を示す部分横断面図である。
【図８】本発明の監視カメラの第１の実施形態において、ロックねじ、第１縦溝、第２縦溝、第３縦溝、第１カム溝、第２カム溝、第３カム溝、ロック板の作動を説明するための展開平面図である。
【図９】本発明の監視カメラの第２の実施形態において、光軸に垂直な平面で断面して、ロックねじが第１縦溝の中心に位置したときの未ロック状態におけるフォーカスロック機構を示す部分横断面図である。
【図１０】本発明の監視カメラの第２の実施形態において、ロックねじが第１縦溝の中心に位置したときの未ロック状態におけるフォーカスロック機構を光軸から見た状態で示す部分平面図である。
【図１１】従来の監視カメラにおいて、光軸を含む平面で断面して、フォーカスロック機構を示す部分縦断面図である。
【図１２】従来の監視カメラにおいて、光軸に垂直な平面で断面して、フォーカスロック機構を示す横断面図である。
【符号の説明】
１００　　監視カメラ
１０２　　カメラボディ
１１０　　レンズ鏡筒
１１２　　固定筒
１１４　　フォーカス操作環
１１６　　フォーカスレンズ枠
１２０　　フォーカスレンズ系
１２２　　光軸
１３０　　第１カム溝
１３２　　第１直進コマ
１３４　　第１縦溝
１４０　　第２カム溝
１４２　　第２直進コマ
１４４　　第２縦溝
１５０　　第３カム溝
１５２　　第３直進コマ
１５４　　第３縦溝
１６０　　ねじ穴
１６２　　ロックねじ
１７０　　ロック板
２１０　　レンズ鏡筒
２１２　　固定筒
２１４　　フォーカス操作環
２１６　　フォーカスレンズ枠
２３０　　第１カム溝
２３４　　第１縦溝
２６０　　ねじ穴
２６２　　ロックねじ
２７０　　ロック板
【図１】
2004085709.tif 000003
【図２】
2004085709.tif 000004
【図３】
2004085709.tif 000005
【図４】
2004085709.tif 000006
【図５】
2004085709.tif 000007
【図６】
2004085709.tif 000008
【図７】
2004085709.tif 000009
【図８】
2004085709.tif 000010
【図９】
2004085709.tif 000011
【図１０】
2004085709.tif 000012
【図１１】
2004085709.tif 000013
【図１２】
2004085709.tif 000014